(57)【要約】【課題】浴室等の水まわりの排水トラップ構造の施工性を改善する。【解決手段】上面部にシート状又は板状の防水接合体３０を接合した排水トラップ１０を上下逆さにして型枠５に設置し、ユニット外郭部２０となるモルタルを型枠５の内周面と排水トラップ１０の外周面との間の充填空間５ｃに充填する。ユニット外郭部２０は、排水トラップ１０の外周を囲む。ユニット外郭部２０の外周面が、床モルタル２との接合面１ｂとなる。防水接合体３０は、排水トラップ１０からユニット外郭部２０の上面に跨る。【選択図】図１
2018031144.tif 000002
【特許請求の範囲】
【請求項１】
水まわりの床モルタルに設けられる排水トラップユニットであって、
上面に排水口部が設けられた排水トラップと、
前記排水トラップの外周を囲むユニット外郭部と、
前記排水口部を囲むように前記排水トラップ上に被さるとともに前記排水トラップから前記ユニット外郭部の上面に跨るシート状又は板状の防水接合体と、
を備え、前記ユニット外郭部の外周面が、前記床モルタルとの接合面となることを特徴とする排水トラップユニット。
【請求項２】
前記ユニット外郭部の外周面には、前記床モルタルと凹凸嵌合される嵌合部が形成されていることを特徴とする請求項１に記載の排水トラップユニット。
【請求項３】
前記ユニット外郭部が、モルタルにて構成されていることを特徴とする請求項１又は２に記載の排水トラップユニット。
【請求項４】
前記防水接合体の外周部が、前記ユニット外郭部のモルタルに埋設されていることを特徴とする請求項３に記載の排水トラップユニット。
【請求項５】
前記ユニット外郭部が空洞であり、
前記排水トラップの外周面が前記ユニット外郭部の内周面を画成し、
前記防水接合体が、前記ユニット外郭部の上面を画成する上面部と、前記ユニット外郭部の外周面を画成する外周面部とを含むことを特徴とする請求項１〜３の何れか１項に記載の排水トラップユニット。
【請求項６】
請求項３又は４に記載の排水トラップユニットを製造する方法であって、
前記防水接合体を接合した前記排水トラップを上下逆さにして型枠に設置し、
前記ユニット外郭部となるモルタルを、前記型枠の内周面と前記排水トラップの外周面との間の充填空間に充填することを特徴とする排水トラップユニットの製造方法。
【発明の詳細な説明】
【技術分野】
【０００１】
本発明は、排水トラップユニット及びその製造方法に関し、特に、浴室等の水まわりの床モルタルに設けられる排水トラップユニット及びその製造方法に関する。
【背景技術】
【０００２】
浴室等の水まわりの排水設備を施工する際は、例えば排水トラップを設置した後、排水トラップの周囲に床モルタルを流し込む。更に、床モルタルの上面に防水層を施工する（特許文献１等参照）。このとき、防水層と排水トラップの排水口部の周縁部とを液密にシールする必要があるが、排水トラップの排水口部の周縁部が狭いために熟練を要し、品質が不安定である。
特許文献２においては、排水トラップの上面の周囲にシート状の防水接合体を予め設けておく。現場での施工時には防水層と防水接合体とをシールする。したがって、特許文献１と比べると施工を容易化できる。
【先行技術文献】
【特許文献】
【０００３】
【特許文献１】特開２００６−２４１７０５号公報
【特許文献２】特開２０１１−８９３４７号公報
【発明の概要】
【発明が解決しようとする課題】
【０００４】
一方、特許文献２の方法においては、床モルタルの打設充填時に、防水接合体の下側に床モルタルを回り込ませ難い。回り込みが悪いと、防水接合体の下側に空隙が形成され、防水接合体が外力で変形して破断されやすくなる。
本発明は、かかる事情に鑑みてなされたものであり、浴室などの水まわりの施工現場において防水接合体の下側へ床モルタルを回り込ませるのを不要として、排水トラップ構造の施工性を改善することを目的とする。
【課題を解決するための手段】
【０００５】
前記課題を解決するため、本発明物は、水まわりの床モルタル（コンクリートを含む）に設けられる排水トラップユニットであって、
上面に排水口部が設けられた排水トラップと、
前記排水トラップの外周を囲むユニット外郭部と、
前記排水口部を囲むように前記排水トラップ上に被さるとともに前記排水トラップから前記ユニット外郭部の上面に跨るシート状又は板状の防水接合体と、
を備え、前記ユニット外郭部の外周面が、前記床モルタルとの接合面となることを特徴とする。
【０００６】
これによって、排水トラップの上面を実質的に拡張できる。しかも、水まわりの施工現場では防水接合体の下側に床モルタルを回り込ませる必要がない。これによって、水まわりの排水トラップ構造の施工性を改善できる。
水まわりとしては、家屋や施設等の水を用いる場所であればよく、浴室の他、洗面所、洗濯機置き場、トイレ、ベランダ等が挙げられる。
【０００７】
前記ユニット外郭部の外周面には、前記床モルタルと凹凸嵌合される嵌合部が形成されていることが好ましい。
これによって、ユニット外郭部ひいては排水トラップユニットと床モルタルとの接合度を高めることができる。
【０００８】
前記ユニット外郭部がモルタル（以下、適宜「ユニット外郭モルタル」と称す）にて構成されていることが好ましい。
これによって、予め、排水トラップユニットにおける防水接合体の下面にユニット外郭モルタル（コンクリートを含む）を密着させておくことができる。水まわりの施工現場では防水接合体の下側に床モルタルを回り込ませる必要がなく、水まわりの排水トラップ構造の施工性を改善できる。かつ、防水接合体の下側に空隙が形成されるのを防止でき、荷重等の外力によって防水接合体が変形して破損するのを防止することができる。
【０００９】
前記防水接合体の外周部が、前記ユニット外郭モルタルに埋設されていることが好ましい。これによって、防水接合体とユニット外郭モルタルの接合度を高めることができる。
【００１０】
前記ユニット外郭部が空洞であってもよい。
前記排水トラップの外周面が前記ユニット外郭部の内周面を画成し、
前記防水接合体が、前記ユニット外郭部の上面を画成する上面部と、前記ユニット外郭部の外周面を画成する外周面部とを含んでいてもよい。
これによって、ユニット外郭部の作製工程を省略できる。かつ、水まわりの施工現場において防水接合体の下側へ床モルタルを回り込ませる作業を不要とすることができる。この場合、防水接合体は、耐荷重性を有する金属等で構成されていることが好ましい。
【００１１】
本発明方法は、前記排水トラップユニットを製造する方法であって、
前記防水接合体を接合した前記排水トラップを上下逆さにして型枠に設置し、
硬化前の前記ユニット外郭モルタルを、前記型枠の内周面と前記排水トラップの外周面との間の充填空間に充填することを特徴とする。
これによって、防水接合体の下面にユニット外郭モルタルを確実に密着させておくことができる。したがって、水まわりの施工現場では防水接合体の下側に床モルタルを回り込ませる必要がなく、水まわりの排水トラップ構造の施工性を改善できる。かつ、防水接合体の下側に空隙（モルタル充填欠損部）が形成されるのを確実に防止できるから、荷重等の外力によって防水接合体が変形して破損するのを防止することができる。
【発明の効果】
【００１２】
本発明によれば、排水トラップとユニット外郭部と防水接合体をユニット化しておくことで、水まわりの施工現場では防水接合体の下側に床モルタルを回り込ませる必要がなく、水まわりの排水トラップ構造の施工性を改善することができる。
【図面の簡単な説明】
【００１３】
【図１】図１は、本発明の第１実施形態に係る排水トラップユニットの断面図である。
【図２】図２は、前記排水トラップユニットの平面図である。
【図３】図３は、前記排水トラップユニットの作製工程を示す断面図である。
【図４】図４は、浴室床部における前記排水トラップユニットが設けられた排水コーナーの断面図である。
【図５】図５は、本発明の第２実施形態に係る排水トラップユニットの断面図である。
【図６】図６は、本発明の第３実施形態に係る排水トラップユニットの断面図である。
【発明を実施するための形態】
【００１４】
以下、本発明の実施形態を図面にしたがって説明する。
＜第１実施形態＞
図１〜図４は、本発明の第１実施形態を示したものである。
図４に示すように、浴室の床部１（水まわりの底部）は、床モルタル２（水まわり底材）と、排水トラップユニット３と、床面材４を備えている。浴室床部１の略全域に床モルタル２が打設されている。床モルタル２の上面に床面材４が敷設されている。床面材４は、タイルにて構成されている。
床面材４が、繊維強化プラスチック（ＦＲＰ）にて構成されていてもよい。床面材４が、ＦＲＰ製の浴室パンであってもよい。
【００１５】
浴室床部１の排水コーナー１ｃに排水トラップユニット３が設けられている。排水トラップユニット３は、床モルタル２に埋設されている。図１に示すように、排水トラップユニット３は、排水トラップ１０と、ユニット外郭部２０と、防水接合体３０を含む。
【００１６】
図２に示すように、排水トラップ１０は、平面視で円形の容器状になっている。排水トラップ１０の材質は、例えばポリ塩化ビニル（ＰＶＣ）、ＡＢＳ樹脂等の樹脂や、ステンレスである。図１及び図４に示すように、排水トラップ１０は、排水口部１１と、トラップ路１２と、排水管接続部１３を含む。排水トラップ１０の上面に排水口部１１が設けられている。排水口部１１は、排水トラップ１０の肩部１４（上面部）から上へ突出されている。排水トラップ１０の周側面には排水管接続部１３が設けられている。図４において模式的に図示するが、排水トラップ１０の内部にはトラップ路１２が形成されている。トラップ路１２の上流端に排水口部１１が連なっている。トラップ路１２の下流端に排水管接続部１３が連なっている。排水管接続部１３に排水管（図示せず）が接続される。
【００１７】
図１に示すように、排水トラップ１０の外周にユニット外郭部２０が設けられている。ユニット外郭部２０はモルタルにて構成されている。以下、ユニット外郭部２０を適宜「ユニット外郭モルタル２０」と称す。図１及び図２に示すように、ユニット外郭モルタル２０が、排水トラップ１０の外周を環状に囲んでいる。排水トラップ１０の外周面がユニット外郭モルタル２０と密着されている。図２に示すように、ユニット外郭モルタル２０の外形状は、平面視で正方形（四角形）になっている。ひいては、排水トラップユニット３が平面視で四角形の厚盤状になっている。
なお、ユニット外郭モルタル２０の外形状、ひいては排水トラップユニット３の外形状は四角形に限られず、円形等であってもよい。
【００１８】
図１に示すように、ユニット外郭モルタル２０の外周面には雌嵌合部２４（嵌合部）が形成されている。雌嵌合部２４は、環状のＶ字溝になっている。すなわち、雌嵌合部２４は、ユニット外郭モルタル２０の上下方向の中央部に向かうにしたがって排水トラップ１０側へ凹んでいる。かつ、雌嵌合部２４は、ユニット外郭モルタル２０の外周の全周にわたって環状になっている。
【００１９】
図４に示すように、浴室床部１において、ユニット外郭モルタル２０の外周面が床モルタル２との接合面１ｂとなっている。詳しくは、床モルタル２における排水トラップユニット３の周りの部分が、雄嵌合部２ｂとなっている。雄嵌合部２ｂは、断面三角形をなして排水トラップユニット３へ向けて突出している。かつ、雄嵌合部２ｂは、排水トラップユニット３を囲む環状になっている。雄嵌合部２ｂが、雌嵌合部２４に入り込んで嵌合されている。雄嵌合部２ｂと雌嵌合部２４との間に、床モルタル２とユニット外郭モルタル２０との界面が形成されている。
【００２０】
図１及び図２に示すように、排水トラップ１０及びユニット外郭モルタル２０上に防水接合体３０が配置されている。防水接合体３０は、四角形のシート状又は板状に形成されている。防水接合体３０の厚みは、例えば２ｍｍ程度である。防水接合体３０の中央部には孔部３１が形成されている。防水接合体３０の外周形状は、正方形（四角形）になっている。
なお、防水接合体３０の外周形状は、四角形に限られず、円形、その他の形状になっていてもよい。
【００２１】
防水接合体３０の材質は、例えば繊維強化プラスチック（ＦＲＰ）であるが、これに限られず、ウレタン等の樹脂や、ポリマーセメント系樹脂等であってもよい。防水接合体３０が、排水トラップ１０と同じ材質によって構成されていてもよい。防水接合体３０が、排水トラップ１０と一体に樹脂成形されていてもよい。或いは、防水接合体３０がステンレス等の金属にて構成されていてもよい。
【００２２】
図１に示すように、孔部３１に排水口部１１が挿し込まれている。防水接合体３０における内周側部分（孔部３１の周縁部）が、排水口部１１を囲むとともに、排水トラップ１０の肩部１４上に被さっている。防水接合体３０と排水トラップ１０とは、接着剤（図示省略）によって接着されている。防水接合体３０における肩部１４よりも外周側の部分は、ユニット外郭モルタル２０の上面に被さっている。防水接合体３０は、排水トラップ１０の肩部１４からユニット外郭モルタル２０の上面に跨っている。
【００２３】
図４に示すように、排水コーナー１ｃにおける床面材４が、防水接合体３０に被さっている。
【００２４】
排水トラップユニット３は、次のようにして製造される。
排水トラップ１０及び防水接合体３０をそれぞれ樹脂成形等にて作製する。
次に、防水接合体３０の孔部３１に排水トラップ１０の排水口部１１を挿し入れ、排水トラップ１０の肩部１４と防水接合体３０とを接着して接合する。接合作業は、浴室床部１の施工現場ではなく工場で行うことができるから、肩部１４が狭くても防水接合体３０を排水トラップ１０に正確かつ容易に接合できる。更には、防水接合体３０の孔部３１の縁と排水トラップ１０との間の水密性を確保できる。
【００２５】
続いて、図３に示すように、防水接合体３０を接合した排水トラップ１０を上下逆さにして型枠５内に設置する。型枠５の内周面と排水トラップ１０の外周面との間には環状の充填空間５ｃが形成される。排水トラップ１０が上下逆さであるため、防水接合体３０は、充填空間５ｃの底部に配置される。
充填空間５ｃにモルタル２０を充填する。防水接合体３０が充填空間５ｃの底部に在るため、ユニット外郭モルタル２０を防水接合体３０に確実に密着させることができる。防水接合体３０とユニット外郭モルタル２０との間に空隙（モルタルの充填欠損部）が形成されるのを確実に防止することができる。
ユニット外郭モルタル２０の硬化後、排水トラップユニット３を型枠５から脱型する
【００２６】
浴室床部１の施工現場においては、排水コーナー１ｃに排水トラップユニット３を設置後、床モルタル２を打設する。床モルタル２を排水トラップユニット３の周面及び底面に密着させる。かつ、床モルタル２の一部を排水トラップユニット３の雌嵌合部２４に入り込ませ、雄嵌合部２ｂを形成する。これによって、ユニット外郭モルタル２０と床モルタル２との接合度、ひいては排水トラップユニット３と床モルタル２との接合度を高めることができる。
防水接合体３０の下側部にはユニット外郭モルタル２０が配置されているから、床モルタル２を防水接合体３０の下側に回り込ませる必要はない。
しかも、防水接合体３０の下側にモルタル欠損部（空隙）が形成されるのを防止できるから、荷重等の外力によって防水接合体３０が変形して破損するのを防止することができる。
床モルタル２の上方には床面材４を敷設する。排水コーナー１ｃにおける床面材４を防水接合体３０に被せる。肩部１４が狭くても、防水接合体３０によって排水トラップ１０の上面を実質的に拡張でき、床面材４を排水トラップユニット３に簡単に載せることができる。これによって、浴室床部１の排水トラップ構造の施工性を改善することができる。
【００２７】
次に、本発明の他の実施形態を説明する。以下の実施形態において既述の形態と重複する構成に関しては図面に同一符号を付して説明を省略する。
＜第２実施形態＞
図５は、本発明の第２実施形態を示したものである。排水トラップユニット３Ｂにおいては、防水接合体３０Ｂの外周部３３が、下方へ段差状に折り曲げられている。外周部３３は、ユニット外郭モルタル２０Ｂに埋設されている。これによって、防水接合体３０Ｂとユニット外郭モルタル２０Ｂの接合度を高めることができる。
【００２８】
ユニット外郭モルタル２０Ｂは、排水トラップ１０の上下方向の中間部より上側部分の外周にだけ設けられている。なお、ユニット外郭モルタル２０Ｂが、排水トラップ１０の上下方向の全体の外周を囲むように設けられていてもよい。
防水接合体３０Ｂは、ステンレス等の金属にて構成されていてもよく、ＰＶＣ、ＡＢＳ、ＰＰ等の樹脂にて構成されていてもよい。
【００２９】
＜第３実施形態＞
図６は、本発明の第３実施形態を示したものである。排水トラップユニット３Ｃにおいては、ユニット外郭部２０Ｃが空洞になっている。排水トラップ１０と防水接合体３０Ｃとによって、空洞すなわちユニット外郭部２０Ｃが画成されている。
【００３０】
詳しくは、防水接合体３０Ｃは、ステンレス等の金属にて構成されている。なお、防水接合体３０Ｃは、ある程度の耐荷重性があれば樹脂にて構成されていてもよい。防水接合体３０Ｃは、上面部３２と、外周面部３４を含む。上面部３２は円板状になっている。上面部３２の中央部に孔部３１が形成されている。孔部３１に排水口部１１が通されている。上面部３２における内周側部分３２ａ（孔部３１の周縁部）が、排水トラップ１０の肩部１４に被さっている。上面部３２の外周側部分３２ｂは、肩部１４よりも外周側へ延び出ている。
【００３１】
外周面部３４は、筒状になっている。外周面部３４の上端部が、上面部３２の外周縁に一体に連なっている。外周面部３４には、雌嵌合部３４ｂ（嵌合部）が形成されている。雌嵌合部３４ｂは、外周面部３４の上下方向の中央部に向かうにしたがって排水トラップ１０側へＶ字状に凹み、かつ外周面部３４の周方向に閉じた環状になっている。雌嵌合部３４ｂに床モルタル２の雄嵌合部２ｂが入り込んで嵌合される。雌嵌合部３４ｂの表面が床モルタル２との接合面１ｂとなる。
【００３２】
上面部３２の外周側部分３２ｂが、ユニット外郭部２０Ｃの上面を画成している。外周面部３４が、ユニット外郭部２０Ｃの外周面を画成している。排水トラップ１０の外周面が、ユニット外郭部２０Ｃの内周面を画成している。
排水トラップユニット３Ｃによれば、防水接合体３０Ｃを排水トラップ１０に取り付けるだけでユニット外郭部２０Ｃが形成されるから、ユニット外郭部の作製工程を省略でき、かつ材料コストを削減できる。第３実施形態は、荷重が小さい場合に好適である。
【００３３】
本発明は、上記実施形態に限定されるものではなく、その趣旨を逸脱しない範囲において種々の改変をなすことができる。
例えば、排水トラップユニット３，３Ｂ，３Ｃの嵌合部２４，３４ｂが雄嵌合部であり、床モルタル２の嵌合部２ｂが雌嵌合部であってもよい。
【産業上の利用可能性】
【００３４】
本発明は、例えば浴室の排水構造に適用できる。
【符号の説明】
【００３５】
１            浴室床部（水まわりの底部）
１ｂ          接合面
１ｃ          排水コーナー
２            床モルタル
２ｂ          雄嵌合部
３，３Ｂ，３Ｃ  排水トラップユニット
４            床面材
５            型枠
５ｃ          充填空間
１０          排水トラップ
１１          排水口部
１２          トラップ路
１３          排水管接続部
１４          肩部（排水トラップの上面部）
２０，２０Ｂ  ユニット外郭モルタル（ユニット外郭部）
２０Ｃ        空洞（ユニット外郭部）
２４          雌嵌合部（嵌合部）
３０，３０Ｂ，３０Ｃ  防水接合体
３１          孔部
３２          上面部
３３          外周部
３４          外周面部
３４ｂ        雌嵌合部（嵌合部）
【図１】
2018031144.tif 000003
【図２】
2018031144.tif 000004
【図３】
2018031144.tif 000005
【図４】
2018031144.tif 000006
【図５】
2018031144.tif 000007
【図６】
2018031144.tif 000008